(57)【要約】      （修正有）【課題】室内履きに適した草履型スリッパを提供する。【解決手段】草履型スリッパは、底材上部１１と底材下部１２とからなる底材部１と、前記底材上部天面に立設される鼻緒部２とを備え、前記底材上部天面および前記鼻緒部とを被覆するがわ生地は、片側のみにパイルを有するタオル織物である。【選択図】図１
0003210998.tif 000002
【実用新案登録請求の範囲】
【請求項１】
底材上部と底材下部とからなる底材部と、
前記底材上部天面に立設される鼻緒部と
を備え、
前記底材上部天面および前記鼻緒部とを被覆するがわ生地は、片側のみにパイルを有するタオル織物である
ことを特徴とする草履型スリッパ。
【請求項２】
前記タオル織物において、
パイル糸番手は１０〜３０番手単糸相当、
経糸番手は、１５〜３０番単糸相当、
緯糸番手は、１５〜３０番単糸相当、
幅方向の密度が２８〜４０本/inch、
織り方向の密度が４５〜６０本/inch
であること特徴とする請求項１記載の草履型スリッパ。
【請求項３】
前記タオル織物において、
パイル糸高は３〜７ｍｍ
であること特徴とする請求項１または２記載の草履型スリッパ。
【請求項４】
前記タオル織物は、綿糸により形成されている
こと特徴とする請求項１〜３記載の草履型スリッパ。
【請求項５】
前記鼻緒部は、
紐状の先坪部と紐状の横緒部とからなり、
前記横緒部が前記先坪部が形成するループを挿通する接合構造を有する
であること特徴とする請求項１〜４記載の草履型スリッパ。
【請求項６】
前記底材部の高さは２０ｍｍ以下である
こと特徴とする請求項１〜５記載の草履型スリッパ。
【請求項７】
前記底材部の高さは１２ｍｍ以下である
こと特徴とする請求項１〜５記載の草履型スリッパ。
【考案の詳細な説明】
【技術分野】
【０００１】
本考案はスリッパに関し、特に、鼻緒を有する草履型スリッパに関する。
【背景技術】
【０００２】
スリッパの一般論について説明する。日本では屋内に入る際に靴を脱ぐ習慣があり、一般的に屋内ではスリッパと呼ばれる履物を履く。
【０００３】
スリッパは、屋内で足裏の汚れを防いだり、床面の温度によって足裏が冷やされることを防いだりする目的で簡易的に履く物であり、着脱容易であることが要求される。
【０００４】
足裏より一回り大きな底材に足の甲を覆う部分が取り付けられただけのものが多い。これにより、足の爪先側を甲被部に滑り込ませるだけで容易に履け、足を滑らすように出すだけで容易に脱げる。
【０００５】
一方、専ら屋内で履き、歩行範囲が狭く、靴のような耐久性や防汚性などが求められないことから、材質については軟質合成樹脂や布地などが用いられることが多い。これにより、安価で製造可能である。
【０００６】
以上のように着脱が容易で安価である、といった利点から、屋内履きとして広く使用されている。
【０００７】
ところで、草履は屋外で主に使用される。草履には以下のようなメリットがある。
【０００８】
草履は、親指と人差し指で鼻緒を挟んで履くため、この２本の指以外が解放された状態となる。歩行時にはこの２本の指で鼻緒を挟むように力を込めるため、他の指の動きも促進され、足指全体が良く動くようになる。その結果、靴で圧迫されていた足指が正常な状態に戻りやすくなる。足指を動かすことは脳の活性化にも効果があると言われている。
【０００９】
このような草履の健康増進効果を活用すべく、室内用に草履型スリッパが注目されている（たとえば、特許文献１）。
【００１０】
足先にひっかけて引きずるように歩く一般的なスリッパと比べ、草履型スリッパは歩く際に足裏、足指、足首などもしっかり使うため、血流が良くなり代謝も上がる。また、足指や甲部分を覆うものがないため蒸れることがない。
【先行技術文献】
【特許文献】
【００１１】
【特許文献１】登録実用新案第３０８２７４１号公報
【考案の概要】
【考案が解決しようとする課題】
【００１２】
足を差し込むだけで履く一般的なスリッパと違い、草履型スリッパは親指と人差し指で鼻緒を挟んで履くため、通常、裸足で履く（５本指ソックスを着用した状態で履く場合もある）。
【００１３】
その結果、汗や皮脂で汚れやすい。汗を吸って湿った状態になると周りの汚れを吸着し、更に汚れやすくなる。
【００１４】
一方、一般的なスリッパでは、本来、その用途から、吸湿、吸水性や洗濯容易性を求められることはなかったため、保温性やデザイン性を意識した素材が使われることはあったが、吸水性に富んだ素材や洗濯容易な素材を使用することについてはあまり検討されてこなかった。
【００１５】
本考案は上記課題を解決するものであり、室内履きに適した草履型スリッパを提供することを目的とする。
【課題を解決するための手段】
【００１６】
上記課題を解決する本考案の草履型スリッパは、底材上部と底材下部とからなる底材部と、前記底材上部天面に立設される鼻緒部とを備え、前記底材上部天面と前記鼻緒部とを被覆するがわ生地は、片側のみにパイルを有するタオル織物である。
【００１７】
これにより、タオル織物と被接着物との接着性が向上する。また、パイル保持力や弾力性が向上する。
【００１８】
好ましくは、前記タオル織物において、パイル糸番手は１０〜３０番手単糸相当、経糸番手は、１５〜３０番単糸相当、緯糸番手は、１５〜３０番単糸相当、幅方向の密度が２８〜４０本/inch、織り方向の密度が４５〜６０本/inchである。
【００１９】
好ましくは、前記タオル織物において、パイル糸高は３〜７ｍｍである。
【００２０】
好ましくは、前記タオル織物は、綿糸により形成されている。
【００２１】
これにより、タオル織物は草履型スリッパに適した特性を有する。
【００２２】
好ましくは、前記鼻緒部は、紐状の先坪部と紐状の横緒部とからなり、前記横緒部が、前記先坪部が形成するループを挿通する接合構造を有する。
【００２３】
これにより、鼻緒部が硬くなることがなく、履き心地が良い。
【００２４】
好ましくは、前記底材部の高さは２０ｍｍ以下である。より好ましくは、１２ｍｍ以下である。
【００２５】
これにより、履き心地を維持したまま、歩行音を低減できる。
【考案の効果】
【００２６】
本考案の草履型スリッパは、室内履きに適している。
【図面の簡単な説明】
【００２７】
【図１】草履型スリッパ概略側面図
【図２】草履型スリッパ概略斜視図
【図３】底材部断面イメージ図
【図４】鼻緒部構成イメージ図
【考案を実施するための形態】
【００２８】
〜基本構成〜
図１は草履型スリッパの概略側面図であり、図２は草履型スリッパ概略斜視図である。図面に基づき、草履型スリッパの基本構成について説明する。
【００２９】
草履型スリッパは、底材部１と鼻緒部２とから構成される。底材部１は、底材上部１１と底材下部１２とからなる。
【００３０】
底材下部１２は、ＥＶＡ（エチレン酢酸ビニルコポリマー）などの硬質クッション材をＰＶＣ（塩化ビニル）やポリエステル生地などの被覆材により被覆したものである。
【００３１】
底材上部１１は、ポリウレタンフォームなどの軟質クッション材およびＥＶＡなどの硬質クッション材をがわ生地などの被覆材により被覆したものである。
【００３２】
底材上部１１と底材下部１２が積層されると、天面にはがわ生地が露出し、底面にはポリエステル生地（等）が露出する。
【００３３】
鼻緒部２は、先坪部２１と横緒部２２とからなる。先坪部２１と横緒部２２は、がわ生地を紐状とすることにより形成される。
【００３４】
先坪部２１は、底材上部天面の爪先側から立設される。横緒部２２の両端は、底材上部天面の左右からそれぞれ立設され、横緒部２２はアーチを形成する。横緒部２２のアーチ上部にて、先坪部２１が接合する。
【００３５】
〜タオル織物概要〜
本実施形態の草履型スリッパは、底材上部天面を被覆するがわ生地１３と鼻緒部２と被覆するがわ生地２３にタオル織物を用いることを特徴とする。
【００３６】
これにより、タオル織物が足裏や指の間にかく汗を吸収し、べたつきやにおいの発生を防ぎ、さらに快適性を向上させることができる。また、タオル織物であれば洗濯が簡便に行える。
【００３７】
ところで、タオル織物を用いる代表例としてタオルがある。タオルは風呂上がりの体を拭くのに用いられることが多い。ところで、用途が異なれば、詳細な構成も異なる。底材上部天面と鼻緒部とを被覆するがわ生地として用いるように、タオル織物の詳細な構成を検討した。
【００３８】
〜片面パイル〜
本実施形態のタオル織物は、片面のみにパイルを有する。以下、片面パイルに係る構成について検討する。
【００３９】
一般的なタオル織物では、両面にパイルがある。ところで、がわ生地として用いる場合、緩衝材などに張り付けて使用されることが多い。裏側を緩衝材と接着する際、裏側にパイルがあると、接着面が凸凹して接着性が低下する。その結果、接着剤の使用量が増える。接着剤の使用量が増えると不具合（臭い、色ムラ、硬さ、変色等）も出る。したがって、裏側のパイルは無い方が好ましい。すなわち、片面パイルが好ましい。
【００４０】
パイルを片面だけにするには、（１）全てのパイルを片側に集中して出す方法（２）裏側になる面のパイル糸をあらかじめ抜いて製織する方法（３）裏側になる面のパイル糸でガーゼなどの平織を形成する方法の３つの方法が考えられる。
【００４１】
ところで、タオル織物では、パイルを引掛けるとパイル糸が長く引き出されてしまう。特に草履型スリッパでは、足の爪が引掛りやすい。パイル保持力や引掛りにくさを向上させることが重要となる。
【００４２】
更に、一般的なタオルでは、踏まれる（体重が加わること）は想定されていないのに対し、草履型スリッパでは、常に踏まれるため、パイルが潰れてしまう。パイルが潰れるとパイルの特性を発揮しにくい。潰れないようすることは出来ないが、潰れにくくすることはできる。すなわち、弾力性を向上させることが重要である。
【００４３】
以上の観点から、製法（１）〜（３）について検討する。
【００４４】
（２）裏側になる面のパイル糸をあらかじめ抜いて製織する方法では、抜かれた片面のパイル糸が地組織と接触していた部分に隙間が生じ、地組織が緩くなる。それによってパイル保持力も低下する。
【００４５】
（３）裏側になる面のパイル糸でガーゼなどの平織を形成する方法では、片面のパイル糸が独立した別の平織組織を形成するため、地組織と絡むパイル糸は（２）と同じ状態になる。裏側のパイル糸が地組織と絡まないため、（２）と同様に地組織に隙間が出来てパイル保持性が低下する。
【００４６】
以上より、タオル織物を草履型スリッパのがわ生地に使用する場合、（１）全てのパイルを片側に集中して出す方法が好ましい。詳細に検討する。
【００４７】
一般的なタオルの両面にあるパイルを片側に集中させることにより、裏側がフラットになる。単純にパイルの密度は２倍となる。
【００４８】
裏側がフラットになることにより、緩衝材などの被接着物との接着面積が大きくなり、密着性が高まる。それによって接着性が向上する。さらに、接着剤の使用量を減らしても十分に固定出来る。
【００４９】
パイルの密度が２倍になることにより、パイル保持力が向上する。
【００５０】
両面パイル構造でも片面パイル構造でも、パイル糸が緯糸や経糸と絡んで形成している地組織の密度は変らない。一方で、一般的なタオルは表のパイル糸と裏のパイル糸を交互に配しているのに対し、片面に集中させた場合は、従来隙間となっていたパイルとパイルの間に裏側のパイル糸が出てくるため、隣り合ったパイル糸が接触して摩擦抵抗を生み、パイルが引き抜けにくくなる。
【００５１】
さらに、パイルの密度が２倍になることにより、パイルが潰れにくくなる。
【００５２】
一般的なタオルはパイルとパイルの間隔が空いているため、踏みつけられた際の加圧でパイルが容易につぶれてしまうのに対し、片側にパイルを集中させることにより、パイルが加圧によって倒れた際に隣り合ったパイルと干渉しあい、潰れにくくなる。
【００５３】
加圧によるパイルの潰れが両面パイルよりも少なくなり、タオル特有の弾力のある触感が感じられ、履き心地が良い。
【００５４】
〜タオル織物詳細構成〜
草履型スリッパに適したタオル織物としては、パイル糸の番手は１０〜３０番手単糸相当、経糸番手は、１５〜３０番単糸相当、緯糸番手は、１５〜３０番単糸相当、幅方向の密度が２８〜４０本/inch、織り方向の密度が４５〜６０本/inch、パイル糸高は３〜７ｍｍであることが好ましく、綿糸により形成されていることが好ましい。
【００５５】
なお、パイル糸の番手は単糸換算で最適範囲を示したが、単糸に替え、双糸でも３本撚りでもよい。
【００５６】
番手とは綿の紡績糸に対して一般的に用いられている恒重式の英式番手を指す。英式番手は質量１ポンド当たりの長さが８４０ヤードの糸を１番手とし、８４０ヤードに対する糸の長さの倍数を番手としている。例えば、質量１ポンド当たりの長さが１６，８００ヤードの糸は２０番手となる。
【００５７】
また、幅方向の密度とは、筬の目の数を指し、織り方向の密度は緯糸の本数を指す。
【００５８】
以下実施例１〜４について示す。
【００５９】
（実施例１）  パイル糸番手は１０番手単糸、経糸番手は６０番双糸、緯糸番手は３０番単糸、幅方向密度が４０本/inch、織り方向の密度が６０本/inch、パイル糸高は３ｍｍである。
【００６０】
（実施例２）  パイル糸番手は２０番手単糸、経糸番手は２０番単糸、緯糸番手は２０番単糸、幅方向密度が３４本/inch、織り方向の密度が６０本/inch、パイル糸高は５ｍｍである。
【００６１】
（実施例３）  パイル糸番手は２０番手単糸、経糸番手は４０番双糸、緯糸番手は２０番単糸、幅方向密度が３２本/inch、織り方向の密度が４５本/inch、パイル糸高は５ｍｍである。
【００６２】
（実施例４）  パイル糸番手は３０番手単糸、経糸番手は３０番双糸、緯糸番手は１６番単糸、幅方向密度が２８本/inch、織り方向の密度が４５本/inch、パイル糸高は７ｍｍである。
【００６３】
実施例１〜４においても、いずれも、吸湿性、吸水性、パイル保持力、弾力性をバランスよく満たした。また、上記記載以外の実施例においても、本願考案の範囲内のタオル織物を用いた場合、良好な効果を奏した。
【００６４】
ところで、パイル糸は、緯糸の間から立ち上がり、緯糸２本分離れて、緯糸間から戻る。これによりループを形成する。一般にパイル１本当たりの長さとは、１本のパイルの始まり（立ち上がり）から終わり（戻り）までの糸の長さをいう。
【００６５】
「パイル長」は「パイル高」と同じ意味であるが、「パイル１本当たりの長さ」と混乱するおそれがあるため、本願明細書では、「パイル長」といわず「パイル高」と表現している。また、パイルはループ状となるため膨らんだりし、また糸の撚りにより縮んだりして、パイル高の実測値は一定にならない。一方、パイル１本当たりの長さは、製織時の筬打ちの距離（Reed Loose)によって決定されるものであり、織機の設定によって正確に規定出来る。したがって、パイル１本当たりの長さの半分を便宜的にパイル高とする。
【００６６】
〜底材断面の検討〜
図３は、底材部１の断面イメージ図である。従来技術（図３Ａ）と本実施形態（図３Ｂ）とを比較している。
【００６７】
従来技術（図３Ａ）において、上から、ポリウレタンフォームなどの軟質クッション材１４，型崩れ防止の台紙１９，ＥＶＡなどの硬質クッション材１５が積層され、がわ生地などの被覆材１８により被覆されることにより、底材上部１１が形成される。
【００６８】
さらに、ＥＶＡなどの硬質クッション材１６がＰＶＣやポリエステル生地などの被覆材１７により被覆されることにより、底材下部１２が形成される。
【００６９】
さらに、底材上部１１と底材下部１２とが積層されることにより、底材部１が形成される。
【００７０】
本実施形態（図３Ｂ）において、上から、ポリウレタンフォームなどの軟質クッション材１４，ＥＶＡなどの硬質クッション材１５が積層され、タオル織物からなるがわ生地１３により被覆されることにより、底材上部１１が形成される。
【００７１】
さらに、ＥＶＡなどの硬質クッション材１６がポリエステル生地などの被覆材１７により被覆されることにより、底材下部１２が形成される。
【００７２】
さらに、底材上部１１と底材下部１２とが積層されることにより、底材部１が形成される。
【００７３】
従来技術と本実施形態において、がわ生地１３にタオル織物を用いる点で相違する。上述のように、本実施形態のタオル織物は充分な弾力性効果を奏す。
【００７４】
つまり、従来技術のクッション材の機能の一部を、タオル織物が代替する。その結果、クッション材を薄くでき、底材部１の厚みを薄くできる。例えば、底材上部１１と底材下部１２の硬質クッション材の厚みをそれぞれ5ｍｍ以下とし、軟質クッション材やがわ生地、被覆材を含めた底材部１の厚みを２０ｍｍ以下程度とすることができる。更に好ましくは１２ｍｍ以下とする。ただし、タオル織物のパイルは底材剛性に寄与しないため、上記厚みには含めない。
【００７５】
従来のスリッパでは、踵が拘束されないため、歩く度、スリッパの踵部分の底材部が踵から離れて、フローリング床を叩く。そのため、歩行音にかかる課題がある。この課題は、鼻緒部分を指で挟む草履型スリッパでは顕著となる。
【００７６】
これに対し、本実施形態の底材部は従来より薄いことで低剛性となり、柔軟性に富むため、本実施形態の草履型スリッパが足の動きに追従し、床を叩く音（歩行音）を低減する。
【００７７】
一方で、本実施形態では、タオル織物が弾力性効果を担保しており、履き心地を維持できる。
【００７８】
〜鼻緒接合構造〜
図４は鼻緒部２構成イメージ図である。鼻緒部２は、先坪部２１と横緒部２２とからなる。先坪部２１と横緒部２２は、タオル織物からなるがわ生地を紐状とすることにより形成される。
【００７９】
先坪部２１は、底材上部天面の爪先側から立設される。横緒部２２の両端は、底材上部天面の左右からそれぞれ立設され、横緒部２２はアーチを形成する。横緒部２２のアーチ上部にて、先坪部２１が接合する。
【００８０】
先坪部２１および横緒部２２において、縫い糸が足に当たらない位置に配置される。
【００８１】
ところで、先坪部２１と横緒部２２との接合構造は、縫合が一般的である。しかしながら、本実施形態のがわ生地はタオル織物からなるため、ボリュームがあり、縫合が困難である。縫合する場合、太い糸で強く縫合するする必要がある。その結果、縫合部が硬くなり、縫合部が指の間の皮膚が薄く敏感な個所に当たると、履き心地が悪い。
【００８２】
本実施形態の接合構造では、紐状の先坪部２１の両端はともに底材上部天面の爪先側から立設され、紐状の先坪部２１の中央が先坪部２１を挿通するように、先坪部２１が曲げ戻されて、ループ２３が形成され、横緒部２２がループ２３を挿通する。これにより、先坪部２１および横緒部２２は確実に接合する。
【００８３】
本実施形態の接合構造は、縫合に比べ、硬くならない。その結果、タオル特有の弾力のある触感が残り、履き心地が良い。
【符号の説明】
【００８４】
１  底材部
２  鼻緒部
１１  底材上部
１２  底材下部
１３  タオル織物
１４  軟質クッション材
１５  硬質クッション材
１６  硬質クッション材
１７  被覆材
１８  被覆材
１９  型崩れ防止の台紙
２１  先坪部
２２  横緒部
２３  ループ
【図１】
0003210998.tif 000003
【図２】
0003210998.tif 000004
【図３】
0003210998.tif 000005
【図４】
0003210998.tif 000006